(57)【要約】【課題】  画像処理装置と情報処理装置とのデータ処理負担を釣り合せて、画像処理装置のパフォーマンス低下を防止できる諸情報を記憶部にインストールすることである。【解決手段】  所定の情報処理装置に最適化されている諸情報を外部記憶装置２０２にインストールする場合に、実際に諸情報がインストールされる情報処理装置２００の処理能力をホストコンピュータ処理能力検出部４１０で検出して、該検出される処理能力合せて諸情報の内容をデータベース情報書き換え部４１１が書き換える構成を特徴とする。【選択図】  図２
2006252009.tif 000002
【特許請求の範囲】
【請求項１】
データ処理に使用される諸情報を記憶部に記憶可能な情報処理装置であって、
前記情報処理装置のデータ処理能力に合せて前記記憶部に記憶されている諸情報の内容を書き換える書換え手段と、
を有することを特徴とする情報処理装置。
【請求項２】
画像処理装置を制御するための諸情報を記憶部に記憶可能な情報処理装置であって、
前記諸情報を前記記憶部に記憶する場合、前記情報処理装置のデータ処理能力を検出する検出手段と、
前記検出手段により検出されるデータ処理能力に応じて、前記画像処理装置と前記情報処理装置とのデータ処理時間が釣り合うように前記諸情報の内容を書き換えて前記記憶部に登録する書換え制御手段と、
を有することを特徴とする情報処理装置。
【請求項３】
前記書換え制御手段は、前記諸情報中のデフォルト印刷モードを書き換えることを特徴とする請求項２記載の情報処理装置。
【請求項４】
前記書換え制御手段は、前記諸情報中のレンダリング解像度を書き換えることを特徴とする請求項２記載の情報処理装置。
【請求項５】
前記書換え制御手段は、前記諸情報中のデフォルト印刷モードおよび／またはレンダリング解像度を書き換えることを特徴とする請求項２記載の情報処理装置。
【請求項６】
前記検出手段は、サンプル画像データを画像処理するデータ処理時間と前記画像出力装置のデータ処理時間とから前記データ処理能力を検出することを特徴とする請求項２記載の情報処理装置。
【請求項７】
前記画像処理は、前記サンプル画像データに対する色変換処理、量子化処理、圧縮処理を含むことを特徴とする請求項２記載の情報処理装置。
【請求項８】
前記検出手段は、前記情報処理装置が備えるハードウエア資源の動作クロック、および／またはハードウエア資源の容量から導出することを特徴とする請求項２記載の情報処理装置。
【請求項９】
前記ハードウエア資源は、マイクロプロセッサユニット、メモリを含むことを特徴とする請求項２記載の情報処理装置。
【請求項１０】
前記諸情報は、前記記憶部にインストールされるプリンタドライバにより参照されることを特徴とする請求項２記載の情報処理装置。
【請求項１１】
データ処理に使用される諸情報を記憶部に記憶可能な情報処理装置におけるデータ処理方法であって、
前記情報処理装置のデータ処理能力に合せて前記記憶部に記憶されている前記諸情報の内容を書き換える書換えステップを有することを特徴とするデータ処理方法。
【請求項１２】
画像処理装置を制御するための諸情報を記憶部に記憶可能な情報処理装置におけるデータ処理方法であって、
前記諸情報を前記記憶部に記憶する場合、前記情報処理装置のデータ処理能力を検出する検出ステップと、
前記検出ステップにより検出されるデータ処理能力に応じて、前記画像処理装置と前記情報処理装置とのデータ処理時間が釣り合うように前記諸情報の内容を書き換えて前記記憶部に登録する書換え制御ステップと、
を有することを特徴とするデータ処理方法。
【請求項１３】
前記書換え制御ステップは、前記諸情報中のデフォルト印刷モードを書き換えることを特徴とする請求項１２記載のデータ処理方法。
【請求項１４】
前記書換え制御ステップは、前記諸情報中のレンダリング解像度を書き換えることを特徴とする請求項１２記載のデータ処理方法。
【請求項１５】
前記書換え制御ステップは、前記諸情報中のデフォルト印刷モードおよび／またはレンダリング解像度を書き換えることを特徴とする請求項１２記載のデータ処理方法。
【請求項１６】
前記検出ステップは、サンプル画像データを画像処理するデータ処理時間と前記画像出力装置のデータ処理時間とから前記データ処理能力を検出することを特徴とする請求項１２記載のデータ処理方法。
【請求項１７】
請求項１１〜１６のいずれかに記載のデータ処理方法を実行させるためのプログラムを格納したことを特徴とするコンピュータが読み取り可能な記憶媒体。
【請求項１８】
請求項１１〜１６のいずれかに記載のデータ処理方法をコンピュータに実行させることを特徴とするプログラム。
【請求項１９】
処理能力を検出する検出手段と、
前記検出手段により検出された処理能力に応じてプリンタドライバが参照するパラメータを設定する設定手段とを有することを特徴とする情報処理装置。
【請求項２０】
前記処理能力は、画像処理能力を含むことを特徴とする請求項１９記載の情報処理装置。
【請求項２１】
前記パラメータは、解像度を含むことを特徴とする請求項１９、または２０に記載の情報処理装置。
【請求項２２】
前記パラメータは、デフォルト情報を含むことを特徴とする請求項１９、２０または２１のいずれかに記載の情報処理装置。
【請求項２３】
処理能力を検出する検出ステップと、
前記検出ステップにより検出された処理能力に応じてプリンタドライバが参照するパラメータを設定する設定ステップとを有することを特徴とする情報処理方法。
【請求項２４】
前記処理能力は、画像処理能力を含むことを特徴とする請求項２３記載の情報処理方法。
【請求項２５】
前記パラメータは、解像度を含むことを特徴とする請求項２３、または２４に記載の情報処理方法。
【請求項２６】
前記パラメータは、デフォルト情報を含むことを特徴とする請求項２３、２４または２５のいずれかに記載の情報処理方法。
【請求項２７】
処理能力を検出する検出ステップと、
前記検出ステップにより検出された処理能力に応じてプリンタドライバが参照するパラメータを設定する設定ステップとをコンピュータに実行させるプログラム。
【請求項２８】
前記処理能力は、画像処理能力を含むことを特徴とする請求項２７記載のプログラム。
【請求項２９】
前記パラメータは、解像度を含むことを特徴とする請求項２７、または２８に記載のプログラム。
【請求項３０】
前記パラメータは、デフォルト情報を含むことを特徴とする請求項２７、２８または２９のいずれかに記載のプログラム。
【発明の詳細な説明】
【技術分野】
【０００１】
本発明は、画像処理装置を制御するための諸情報を記憶部にインストール可能な情報処理装置およびデータ処理方法および情報処理方法および記憶媒体およびプログラムに関するに関するものである。
【背景技術】
【０００２】
一般に、ホストコンピュータのプリンタドライバを介してプリンタとが通信して印刷データを処理する印刷システムにおいて、プリンタの印刷方法は以下の２つに分けることができる。
【０００３】
第１の方法は、ホストコンピュータの印刷データをプリンタドライバによりページ記述言語（ＰＤＬ）に変換したＰＤＬデータとしてプリンタに送信する。そして、当該ＰＤＬデータをプリンタ内部のコントローラでビットマップ展開、色変換処理、量子処理化等の画像処理を行い印刷を行う。
【０００４】
第２の方法では、ホストコンピュータの印刷データを、ＯＳ上に用意されるレンダリングエンジンによりメモリ上でビットマップ展開し、当該ビットマップデータをプリンタドライバにより色変換処理、量子化処理、簡易な圧縮処理等を行ない当該データに簡易なプリンタ制御コードを付けプリンタに送信する。そして、プリンタのコントローラがホストから送られた印刷データに従い印刷を行う。
【０００５】
一般に、インクジェットプリンタ代表される安価なプリンタでは、プリンタ本体の単価を抑えるために、第２の方法が採用されている。
【０００６】
第２の方法におけるプリンタドライバは、ホストに用意されたレンダリングエンジンが展開したビットマップデータに対して、色変換処理、量子化処理、簡易な圧縮処理、プリンタ制御コード付加処理を順次行って行く。このとき、ＯＳ上に用意されるレンダリングエンジン、プリンタドライバの各処理のプログラムは、インストール時に設定されたパラメータを参照して、各々自分の動作を決定して行く。
【０００７】
例えば６００ｄｐｉの出力解像度を持つプリンタに対して「きれい」な印刷モードで印刷を行う場合、ホストのレンダリングエンジンが参照するパラメータの内容は６００ｄｐｉを表しており、当該レンダリングエンジンは６００ｄｐｉで印刷データのレンダリングを行う。従来、処理時に参照されるパラメータはインストール時に、ホストの処理能力に関係なく一意に決定され、その後変更されることはなかった。
【０００８】
また、印刷情報をプリンタに転送してから、プリンタが印刷情報を出力し終えるまでの出力処理時間をタイマ装置等によりそれぞれ測定し、該測定された各出力処理時間を比較して、ＣＰＵが最短出力処理時間となるプリンタドライバを記憶装置にインストールすることが特許文献１に開示されている。
【特許文献１】特開平０８−３２８７７６号公報
【発明の開示】
【発明が解決しようとする課題】
【０００９】
近年プリンタの出力解像度が高くなるに伴い、インクジェット方式でのプリンタドライバで行なわれる処理量は増大して行く傾向にある。プリンタベンダは、プリンタの性能を最大限に利用するために、プリンタの最大出力解像度と同一になるように、インストール時にレンダリング解像度情報を設定していた。
【００１０】
そのため、データ処理能力の低いホストで印刷する場合には、全体のスループットが大きく低下してしまう。
【００１１】
一方、プリンタは多くの印刷モードを持ち、ユーザはさまざまなプリンタの設定を行ない印刷することができるが、多くのユーザはインストール状態のまま、すなわち単一のデフォルト（初期状態の）印刷モードで印刷してしまう。そのため、初期設定されるデフォルト印刷モードは重要である。なぜなら、デフォルト印刷モードにおいてホストの処理時間がプリンタの処理に追いつかない設定をしていた場合、ユーザはプリンタ本来の能力を使わずに印刷し続けることになるからである。
【００１２】
このように従来の情報処理装置において、画像処理装置を制御するプリンタドライバの諸情報は、最適な処理速度であろう情報処理装置に設定することを予定されているが、実際には、ユーザがインストールする情報処理装置の処理速度は、予定されているものよりも低速である場合があり、このような情報処理装置に、あらかじめ最適化されている諸情報が、却ってデータ処理を悪化させる結果となり、画像処理装置のパフォーマンスが低下させてしまうという課題があった。
【００１３】
本発明は、上記の問題点を解決するためになされたもので、本発明の目的は、データ処理に使用される諸情報を記憶部に記憶する場合に、実際に諸情報が記憶される情報処理装置の処理能力を検出して、該検出される処理能力合せて前記諸情報の内容を書き換えた後、該書き換えられた諸情報を前記記憶部に記憶することにより、実際の情報処理装置の処理能力に最適な諸情報を確実に記憶部に記憶させて、画像処理装置と情報処理装置とのデータ処理負担を釣り合せて、画像処理装置のパフォーマンス低下を防止できる諸情報を記憶部にインストールできる情報処理装置およびデータ処理方法および情報処理方法および記憶媒体およびプログラムを提供することである。
【課題を解決するための手段】
【００１４】
上記目的を達成する本発明の情報処理装置は以下に示す構成を備える。
【００１５】
データ処理に使用される諸情報を記憶部に記憶可能な情報処理装置であって、前記情報処理装置のデータ処理能力に合せて前記記憶部に記憶されている諸情報の内容を書き換える書換え手段とを有することを特徴とすることを特徴とする。
【００１６】
また、画像処理装置を制御するための諸情報を記憶部に記憶可能な情報処理装置であって、前記諸情報を前記記憶部に記憶する場合、前記情報処理装置のデータ処理能力を検出する検出手段と、前記検出手段により検出されるデータ処理能力に応じて、前記画像処理装置と前記情報処理装置とのデータ処理時間が釣り合うように前記諸情報の内容を書き換えて前記記憶部に登録する書換え制御手段とを有することを特徴とする。
【００１７】
上記目的を達成する本発明のデータ処理方法は以下に示す構成を備える。
【００１８】
データ処理に使用される諸情報を記憶部に記憶可能な情報処理装置におけるデータ処理方法であって、前記情報処理装置のデータ処理能力に合せて前記記憶部に記憶されている諸情報の内容を書き換える書換えステップとを有することを特徴とする。
【００１９】
また、画像処理装置を制御するための諸情報を記憶部に記憶可能な情報処理装置におけるデータ処理方法であって、前記諸情報を前記記憶部に記憶する場合、前記情報処理装置のデータ処理能力を検出する検出ステップと、前記検出ステップにより検出されるデータ処理能力に応じて、前記画像処理装置と前記情報処理装置とのデータ処理時間が釣り合うように前記諸情報の内容を書き換えて前記記憶部に登録する書換え制御ステップと、を有することを特徴とする。
【００２０】
さらに、上記目的を達成する本発明の情報処理装置は、処理能力を検出する検出手段と、前記検出手段により検出された処理能力に応じてプリンタドライバが参照するパラメータを設定する設定手段とを有することを特徴とする。
【００２１】
また、上記目的を達成する本発明の情報処理方法は、処理能力を検出する検出ステップと、前記検出ステップにより検出された処理能力に応じてプリンタドライバが参照するパラメータを設定する設定ステップとを有することを特徴とする。
【発明の効果】
【００２２】
本発明によれば、画像処理装置と情報処理装置とのデータ処理負担を釣り合せて、画像処理装置のパフォーマンス低下を防止できる諸情報を記憶部にインストールできるという効果を奏する。
【発明を実施するための最良の形態】
【００２３】
次に本発明を実施するための最良の形態について図面を参照して説明する。
【００２４】
＜システム構成の説明＞
〔第１実施形態〕
図１は、本発明の第１実施形態を示すデータ処理装置と画像出力装置とを含む印刷システムの一例を示すブロック図であり、周辺装置を含めたクライアント全体を示す情報処理装置２００と画像処理装置本体３００とが所定の通信Ｉ／Ｆを介して通信可能な印刷システム例である。
【００２５】
図１に示す情報処理装置本体１００において、１０１はＭＰＵ（制御部）であり、ＤＲＡＭ１０３に格納されている制御手順に従って情報処理装置２００の全体制御を司る。なお、ＭＰＵ１０１は、各種のＣＰＵと同等の機能処理を備えている。
【００２６】
１０２はシステム全体の各構成を接続するブリッジである。１０９はＲＯＭで、ＭＰＵ１０１が実行するＢＩＯＳプログラムやフォントデータを格納する。なお、周辺装置として機能する外部記憶装置２０２には、所定のＯＳがインストールされており、そのＯＳをＤＲＡＭ１０３上にロードして、各種アプリケーション、プリンタドライバ等の実行を制御している。また、ＯＳについてもユーザの選択により、同系列であってもバージョンの異なるＯＳがインストールされている場合があり、プリンタドライバは、そのＯＳに適応してインストール時に最適なプリンタドライバが外部記憶装置２０２にインストールされるように制御されている。
【００２７】
１０３はオプションメモリを装着して容量を増加可能なＤＲＡＭであり、ＭＰＵ１０１が実行するプログラムやデータ等をＲＯＭ１０９からロードするとともに、外部記憶装置２０２からＯＳをロードして１次記憶したり、ＭＰＵ１０１が実行する各種のプログラムに対するワークメモリとしても機能する。
【００２８】
１０４はシステムバスとメモリバス、ＭＰＵを接続するブリッジである。１０５はグラフィックアダプタ（表示制御部）で、例えばＣＲＴで構成される表示装置２０１にグラフィック情報を表示するための制御機能を備える。
【００２９】
１０６はＨＤＤコントローラで、外部記憶装置２０２とのインタフェースを司る。１０７はキーボードコントローラで、キーボードとのインタフェースとを司る。
【００３０】
１０８は双方向通信可能なパラレルイＩ／Ｆである通信Ｉ／Ｆ（入出力部）で、例えばＩＥＥＥ１２８４規格に従って画像処理装置３００との間の通信を司る。なお、１０８は通信Ｉ／Ｆ（入出力部）は、例えばＵＳＢ（Ｕｎｉｖｅｒｓａｌ  Ｓｅｒｉａｌ  Ｂｕｓ）の規格に従った双方向通信可能なシリアルインタフェースで構成されていてもよい。
【００３１】
１１０は記憶媒体読み込み部（メディアドライブユニット）であり、ＦＤ、ＣＤ−ＲＯＭ、ＣＤ−Ｒ、光ディスク、ＺＩＰ、ＤＶＤ等の各種の記憶媒体からプログラムやデータなどを読み込んで、ＤＲＡＭ１０３にロードし、必要に応じて、ＨＤＤなどで構成される外部記憶装置２０２に記憶する。
【００３２】
１１１はネットワークや公衆回線との通信を行うＮＥＴ通信部であり、ターミナルアダプタ（ＴＡ）やモデムに相当する。
【００３３】
ホスト装置として機能する情報処理装置２００には、グラフィックアダプタ１０５を介して操作者にグラフィック情報等を表示する表示装置２０１（表示部）が接続されており、本実施形態では接続陰極線管（ＣＲＴ）表示装置となっている。なお、表示装置２０１はＣＲＴではなく、液晶表示装置であるＬＣＤであっても構わない。更に、情報処理装置２００には、プログラムやデータが格納された大容量記憶装置であるハードディスクドライブ（ＨＤＤ）装置で構成される外部記憶装置２０２が接続されている。さらに、情報処理装置２００には、キーボードやマウスなどの指示入力装置２０３（指示入力部）が接続されている。
【００３４】
画像出力装置本体３００において、３０１は通信Ｉ／Ｆで、例えばＩＥＥＥ１２８４規格に従ってホスト装置１００との通信を司る双方向通信可能なパラレルＩ／Ｆで構成される。
【００３５】
なお、通信Ｉ／Ｆ３０１は、例えばＵＳＢ（Ｕｎｉｖｅｒｓａｌ  Ｓｅｒｉａｌ  Ｂｕｓ）の規格に従った双方向通信可能なシリアルインタフェースで構成されていてもよい。
【００３６】
３０２はＭＰＵであり、画像出力装置３００全体を制御する制御部として機能する。ＭＰＵ３０２は、情報処理装置２００の通信Ｉ／Ｆ１０８を介して受信した制御データを含む画像情報を解析し、印刷部３０６へのビデオ信号の出力制御を行う。
【００３７】
３０３はＲＯＭで、ＭＰＵ３０２が実行する制御プログラムやフォントデータ（アウトラインフォントやビットマップフォント）を格納する。３０５はＲＡＭで、ＭＰＵ３０２が制御するプログラムをＲＯＭ３０３からロードし、一時記憶したり、ＭＰＵ３０２のワークメモリとして機能したりする。３０４は内部バスで、各構成要素間のデータ通信を行うデータバス、システムバス等から構成される。
【００３８】
３０６は印刷部で、ＭＰＵ３０２により送られるビデオ信号に基づいて記録媒体に記録画像を生成する。なお、本実施形態では、印刷部３０６の印刷方式がインクジェット方式で印刷データを印刷する例を示す。また、画像出力装置３００は、図示しないスキャナユニットを接続することで、コピー機能、スキャナ機能、プリント機能等を実行するマルチファンクション装置、いわゆる複合機として機能させることも可能であり、画像出力装置３００は、プリンタに限らず、複合機であってもよい。
【００３９】
また、３０７は給紙部であり、各種の記録媒体（普通紙、光沢紙、インクジェット要旨、透明なフィルムシート等を含む）を給紙することが可能に構成されている。３０８は排紙部であり、印刷部３０６で画像生成された記録媒体を排紙する。なお、排紙部３０８に対して、図示しない両面ユニットを装着して、記録媒体を反転転送することで、記録媒体の両面に印刷することも可能である。さらに、画像出力装置３００には、図示しない操作部が設けられて、印刷状況を表示したり、印刷をキャンセルするボタンが設けられている場合もある。さらに、図示しないカメラインタフェースや、メモリインタフェースを備えて、デジタルカメラからの印刷データをダイレクト印刷したり、デジタルカメラや携帯電話のメモリに記憶されたメモリ本体が装着された場合に、メモリ本体に記憶されている印刷データを印刷することも可能である。
【００４０】
図２は、図１に示した情報処理装置２００におけるデータ処理システムの構成を説明するブロック図である。
【００４１】
図２において、４００はユーザが印刷データを作成するためのアプリケーションである。４０１はレンダリング部で、アプリケーション４０１で生成された印刷データを図１に示したＤＲＡＭ１０３上でレンダリングする。
【００４２】
４０２はスプーラで、プリンタドライバにより生成された印刷データのスケジューリングおよび画像出力装置３００に送信する。
【００４３】
なお、アプリケーション４００、レンダリング部４０１、スプーラ４０２はあらかじめ情報処理装置２００内のＯＳ（オペレーションシステム）上に用意されているものとする。
【００４４】
４０３はＧＵＩ設定部で、ユーザが画像出力装置３００に対する設定を行う。４０４はレンダリング解像度情報で、レンダリング部４０１がレンダリングを行うときに参照される。
【００４５】
４０６はデータベースであり、このデータベース４０６内には、接続されている画像出力装置３００で使用することができるメディア情報、ＧＵＩ画面の初期設定値として使用されるデフォルト情報、各印刷ポジション毎の使用色数、階調レベル数、プリンタ処理時間、解像度等の情報、色変換処理部、量子化処理部、圧縮処理部が動作する場合の諸パラメータが格納されている。詳細については、後述する。
【００４６】
４０５はＧＵＩ情報制御部で、ＧＵＩ設定画面でユーザが設定した印刷ポジションの情報をデータベース４０６から取得してＧＵＩ設定部４０３に送信する。４０７は色変換処理部である。４０８は量子化処理部である。４０９は圧縮処理部である。なお、色変換処理部４０７、量子化処理部４０８、圧縮処理部４０９は動作するために必要なパラメータをデータベース４００から取得し、レンダリング部４０１によりレンダリングされたビットマップデータに対して各々の処理を行う。
【００４７】
４１０はホスト処理能力検出部である。なお、ホスト処理能検出部４１０は、情報処理装置２００の処理能力を検出するが、その検出方法については後述する。４１１はデータベース情報書き換え部である。データベース書き換え部４１１は、データベース４０６およびレンダリング解像度情報４０４に含まれる情報を書き換える。
【００４８】
なお、図２に示すＧＵＩ設定部４０３、レンダリング情報４０４、ＧＵＩ制御部４０５、データベース４０６、色変換処理部４０７、量子化処理部４０８、圧縮処理部４０９、ホスト能力検出部４１０、データベース書き換え部４１１は、記録媒体読み込み部１１０あるいはＮＥＴ通信部１１１を介して情報処理装置２００の外部記憶装置２０２内にインストールされるプログラム（モジュールを含む）あるいはデータである。
【００４９】
なお、ＧＵＩ設定部４０３、レンダリング情報４０４、ＧＵＩ制御部４０５、データベース４０６、色変換処理部４０７、量子化処理部４０８、圧縮処理部４０９、ホスト能力検出部４１０、データベース書き換え部４１１としての各種の機能が１つのプリンタドライバの一部として構成されていてもよい。
【００５０】
図３は、本実施形態における情報処理装置のデータ処理手順の一例を示すフローチャートであり、外部記憶装置２０２に記憶されるプリンタドライバ（印刷制御プログラム）がＤＲＡＭ１０３にロードされてＭＰＵ１０１が実行されることで実現される。なお、Ｓ３０１〜Ｓ３０４は各ステップを示す。
【００５１】
まず、本システムにおいては、ユーザによりプリンタドライバを構成するプログラム群およびデータが、記録媒体読み込み部１１０あるいはＮＥＴ通信部１１１を介して情報処理装置２００の外部記憶装置２０２内にインストールされる（Ｓ３０１）。
【００５２】
次に、インストールされたホスト能力検出部４１０は、プリンタドライバがインストールされた情報処理装置２００の処理能力を検出する（Ｓ３０２）。なお、情報処理装置２００の処理能力検出は、主に以下の２つのいずれかの方法を用いて行なわれる。
【００５３】
第１の検出方法は、図示はしないベンダが用意するビットマップ化された標準印刷サンプルデータに対して色変換処理、量子化処理、圧縮処理を行いこれらの処理にかかる時間を計測する。このベンチマークテストは、印刷ポジションの数だけ行なわれる。
【００５４】
第２の検出方法は、ホスト処理能力検出部４１０により、情報処理装置２００に搭載されるＭＰＵ１０１のクロック数およびＤＲＡＭ１０３の搭載サイズをもとに、図示しないデータベース内の情報を参照して処理時間を推測する。以下、図４に示す例に基づいて処理能力検出処理の具体的例を説明する。
【００５５】
図４は、図１に示した画像出力装置３００の印刷ポジション毎の諸情報を表す図であり、プリンタドライバが参照する印刷ポジション毎の情報群である。これらの情報の中には、印刷メディア情報、印字品位情報、量子化方法情報、使用色数情報、量子化レベル数、プリンタが１枚を印刷するのに必要となる時間を表すプリンタ処理時間「ｓｐｐ」、情報処理装置がレンダリングする解像度、デフォルトの印刷ポジション情報が含まれる。なお、レンダリング解像度以外の情報は、データベース４０６の中に格納されている。
【００５６】
図４にて、例えば印刷ポジション「１」の場合は、印刷メディアは『普通紙』、印字品位は、『きれい』、量子化方法は『ディザ』、使用色数は『７色』、量子化レベル数は『９値』、プリンタ処理時間は『６０秒』、レンダリング解像度は『６００ｄｐｉ』であり、デフォルトポジションではないことを表している。
【００５７】
なお、本実施形態では、印刷ポジションは、印刷メディア、印字品位、量子化方法の種類分の掛け算の数だけ存在する。図４に示す例では便宜上印刷メディアは普通紙のみの情報としている。
【００５８】
図５は、図２に示したホストコンピュータ処理能力検出部４１０で検出される印刷ポジションとホスト処理時間との対応を示す図であり、上記第１の検出方法で検出した場合の各々の印刷ポジションのホストコンピュータの処理時間（以下ホスト処理時間とする）を表している例である。
【００５９】
図５に示すように、例えば印刷ポジション「１」で印刷する場合は、当該情報処理装置２００では１ページの印刷データを生成するためのホスト処理時間が５０秒であることが分かる。また、印刷ポジション「２」ではホスト処理時間は１００秒であることを示している。
【００６０】
図６は、図２に示したホストコンピュータ処理能力検出部４１０で検出される印刷ポジションとホスト処理時間との対応を示す図であり、上記第２の検出方法で検出した場合の情報処理装置２００のＭＰＵ１０１のクロック数およびＤＲＡＭ１０３の搭載サイズより算出されたパラメータ「１」〜「Ｎ」とホスト処理時間「ｓｐｐ」の関係を表した例である。
【００６１】
図６に示すように、検出された情報処理装置２００のＭＰＵ１０１のクロック数およびＤＲＡＭ１０３の搭載サイズを基にパラメータを算出し、それに該当するホスト処理時間を参照する。
【００６２】
現在、パラメータ「１」と算出された場合には、印刷ポジション「１」で印刷する場合にかかるホスト処理時間は、５０秒であることを表している。
【００６３】
次いで、ホストコンピュータ能力検出部４１０により検出されたホスト処理時間と、データベース４０６に記憶されるプリンタ処理時間とを比較して（Ｓ３０３）、ホスト処理時間がプリンタ処理時間を上回ったと判断した場合には、データベース４０６あるいはレンダリング情報４０４の書き換え作業を行ない（Ｓ３０４）、本処理を終了する。
【００６４】
一方、ステップＳ３０３で、ホスト処理時間がプリンタ処理時間を上回っていないと判断した場合には、本処理を終了する。
【００６５】
以下、ステップＳ３０４における書き換え処理について説明する。
【００６６】
第１の書き換え処理方法は、ホスト処理時間がプリンタ処理時間を上回った印刷ポジションのレンダリング解像度を書き換える。
【００６７】
第２の書き換え処理方法は、デフォルトポジションである印刷ポジションを書き換える。
【００６８】
第３の書き換え処理方法は、第１の書き換え処理方法と第２の書き換え処理方法とを併用する。
【００６９】
図７〜図９は、図４に示した印刷ポジション毎の諸情報の書き換え例を示す図であり、図７は第１の書き換え処理方法を採用した書き換えの結果例であり、図８は第２の書き換え処理方法を採用した書き換えの結果例であり、図９は第３の書き換え処理方法を採用した書き換えの結果例である。
【００７０】
図７では、図４、図５より印刷ポジション「２」，「４」，「６」においてホスト処理時間がプリンタ処理時間を上回っているため、これらのレンダリング解像度を、図３に示したステップＳ３０４を実行することで半分の値に書き換えている。この書き換え作業によりホスト処理時間が半減しているのが分かる。
【００７１】
図８はでは、図４、図５よりデフォルトポジションである印刷ポジション「４」においてホスト処理時間がプリンタ処理時間を上回っているため、図３に示したステップＳ３０４を実行することでデフォルトポジションを印刷ポジション３へと移動しているのが分かる。
【００７２】
図９では、図３に示したステップＳ３０４を実行することで、第１の書き換え方法によりレンダリング解像度を下げることにより、すべての印刷ポジションにおいてホスト処理時間がプリンタ処理時間より短くなっているがデフォルトのポジションを印刷ポジション「２」に書き換えている。
【００７３】
なお、デフォルトポジションは、ユーザがもっとも使用する印刷ポジションであることが望ましい。本実施形態ではデフォルトポジションを印刷ポジション「２」にしているが、『きれい』な画質を好むか、『速い』印刷を好むかは使用するユーザ、国等により異なるため、この書き換え作業の判断材料として、ＯＳに含まれる言語情報を参照して、印刷ポジションを速いに対応した「５」または「６」としてもよい。
【００７４】
本実施形態によれば、インストール時にレンダリング情報およびデフォルトポジションを書き換えることにより、データ処理能力が低い情報処理装置においても快適な印刷環境を実現することができる。
【００７５】
なお、図７〜図９に示す諸情報は、プリンタドライバが参照するプロファイルとして機能させるが、インストールの際には、外部記憶装置２０２にインストールされ、プリンタドライバとしてＤＡＲＭ１０３にロードされる場合には、図２に示すようにデータベース４０６の一部に組み込ませる。
【００７６】
〔第２実施形態〕
第１実施形態では、インストール時にレンダリング情報およびデフォルトポジションを書き換える場合について説明したが、書き換えの有無や、書き換えの実行の可否をユーザに委ねるように、インストール画面で指示やその結果を表示する工程を実行させて、ユーザに通知するように制御してもよい。
【００７７】
〔第３実施形態〕
また、上記実施形態では、インストール時にレンダリング情報およびデフォルトポジションを書き換える場合について説明したが、ユーザによっては、情報処理装置２００内のマザーボートを変更したり、ＭＰＵを変更したり、高速なメモリを増設して、より高速データ処理が可能なシステムを構築する場合があるので、そのようなハードウエア資源変更事態に備えて、ＭＰＵのクロックの変更履歴を外部記憶装置２０２に記憶して、ＭＰＵやマザーボードの変更があった場合には、図３に示すデータ処理を再度実行することで、上記デフォルトのポジションを変更するように制御してもよい。
【００７８】
〔第４実施形態〕
また、上記実施形態では、インストール時にレンダリング情報およびデフォルトポジションを書き換える場合について説明したが、ハードウエアの変更とは独立して、最新のＯＳにバージョンアップされる場合もある。そこで、ＯＳのバージョンアップ時に、上記図３に示すデータ処理を再度実行することで、上記デフォルトのポジションを変更するように制御してもよい。
【００７９】
〔第５実施形態〕
なお、上記実施形態では、情報処理装置と画像処理装置とが１対１でローカル接続される例について説明したが、本発明は、複数の情報処理装置と画像処理装置とがｎ対１でローカル接続される場合も適用可能である。
【００８０】
〔第６実施形態〕
なお、上記実施形態では、情報処理装置と画像処理装置とが１対１でローカル接続される例について説明したが、情報処理装置がサーバ装置を介して画像出力装置と通信可能な、いわゆるプリントサーバシステムを採用する場合にも本発明を適用可能であり、その場合には、サーバ装置のデータ処理能力を加味して、デフォルトポジションを変更制御するように構成してもよい。
【００８１】
〔第７実施形態〕
以下、図１０に示すメモリマップを参照して本発明に係る情報処理装置で読み取り可能なデータ処理プログラムの構成について説明する。
【００８２】
図１０は、本発明に係る情報処理装置で読み取り可能な各種データ処理プログラムを格納する記憶媒体のメモリマップを説明する図である。
【００８３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００８５】
本実施形態における図３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００８６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００８７】
この場合、記憶媒体から読み出されたプログラムコード自体が本発明の新規な機能を実現することになり、そのプログラムコードを記憶した記憶媒体は本発明を構成することになる。
【００８８】
従って、プログラムの機能を有していれば、オブジェクトコード、インタプリタにより実行されるプログラム、ＯＳに供給するスクリプトデータ等、プログラムの形態を問わない。
【００８９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００９０】
この場合、記憶媒体から読出されたプログラムコード自体が前述した実施形態の機能を実現することになり、そのプログラムコードを記憶した記憶媒体は本発明を構成することになる。
【００９１】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９５】
本発明は上記実施形態に限定されるものではなく、本発明の趣旨に基づき種々の変形（各実施形態の有機的な組合せを含む）が可能であり、それらを本発明の範囲から排除するものではない。
【００９６】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜３０について説明する。
【００９７】
〔実施態様１〕
データ処理に使用される諸情報を記憶部（例えば図１に示す外部記憶装置２０２）に記憶可能な情報処理装置であって、前記情報処理装置のデータ処理能力に合せて前記記憶部に記憶されている前記諸情報の内容を書き換える書換え手段（例えば図２に示すデータベース情報書き換え部４１１による図３に示すステップＳ３０４により書き換える）を有することを特徴とする情報処理装置。
【００９８】
これにより、デフォルトとして設定される諸情報が情報処理装置のデータ処理能力と画像処理装置のデータ処理能力とが釣り合う内容に書き換えられるため、情報処理装置のデータ処理負担が軽減され、画像処理装置のパフォーマンス低下を抑えることができる。
【００９９】
〔実施態様２〕
画像処理装置を制御するための諸情報を記憶部に記憶可能な情報処理装置であって、前記諸情報を前記記憶部に記憶する場合、前記情報処理装置のデータ処理能力を検出する検出手段（図２に示すホストコンピュータ処理能力検出部４１０による図３に示すステップＳ３０２により検出される）と、前記検出手段により検出されるデータ処理能力に応じて、前記画像処理装置と前記情報処理装置とのデータ処理時間が釣り合うように前記諸情報の内容を書き換えて前記記憶部に登録する書換え制御手段（例えば図２に示すデータベース情報書き換え部４１１によるステップＳ３０４により書き換える）とを有することを特徴とする情報処理装置。
【０１００】
これにより、情報処理装置の実際のデータ処理能力が検出され、あらかじめ想定されている情報処理装置よりもデータ処理能力が低い場合には、デフォルトとして設定される諸情報が情報処理装置のデータ処理能力と画像処理装置のデータ処理能力とが釣り合う内容に書き換えられるため、情報処理装置のデータ処理負担が軽減され、画像処理装置のパフォーマンス低下を抑えることができる。
【０１０１】
〔実施態様３〕
前記書換え制御手段は、前記諸情報中のデフォルト印刷モードを書き換えることを特徴とする実施態様２記載の情報処理装置。
【０１０２】
これにより、高画質の画像処理要求をデフォルトとしない印刷モードを自動選択できる。
【０１０３】
〔実施態様４〕
前記書換え制御手段は、前記諸情報中のレンダリング解像度を書き換えることを特徴とする実施態様２記載の情報処理装置。
【０１０４】
これにより、高画質の画像処理要求をデフォルトとしないレンダリング解像度を自動選択できる。
【０１０５】
〔実施態様５〕
前記書換え制御手段は、前記諸情報中のデフォルト印刷モードおよび／またはレンダリング解像度を書き換えることを特徴とする実施態様２記載の情報処理装置。
【０１０６】
これにより、高画質の画像処理要求をデフォルトとしない印刷モードおよび／または高画質の画像処理要求をデフォルトとしないレンダリング解像度を自動選択できる。
【０１０７】
〔実施態様６〕
前記検出手段は、サンプル画像データを画像処理するデータ処理時間と前記画像出力装置のデータ処理時間とから前記データ処理能力を検出することを特徴とする実施態様２記載の情報処理装置。
【０１０８】
これにより、サンプル画像データを利用することで、情報処理装置毎に異なるデータ処理時間を正しく検出することができる。
【０１０９】
〔実施態様７〕
前記画像処理は、前記サンプル画像データに対する色変換処理、量子化処理、圧縮処理を含むことを特徴とする実施態様２記載の情報処理装置。
【０１１０】
これにより、サンプル画像データを利用して実際の画像処理に近い種々の処理を含ませることで、情報処理装置毎に異なるデータ処理時間を正しく検出することができる。
【０１１１】
〔実施態様８〕
前記検出手段は、前記情報処理装置が備えるハードウエア資源の動作クロック、および／またはハードウエア資源の容量から導出することを特徴とする実施態様２記載の情報処理装置。
【０１１２】
これにより、情報処理装置の処理能力をハードウエアの構成に対応して簡易に検出することができる。
【０１１３】
〔実施態様９〕
前記ハードウエア資源は、マイクロプロセッサユニット、メモリを含むことを特徴とする実施態様２記載の情報処理装置。
【０１１４】
これにより、情報処理装置の処理能力をハードウエアとしてのマイクロプロセッサユニット、メモリの構成に対応して簡易に検出することができる。
【０１１５】
〔実施態様１０〕
前記諸情報は、前記記憶部にインストールされるプリンタドライバにより参照されることを特徴とする実施態様２記載の情報処理装置。
【０１１６】
これにより、プリンタドライバが情報処理装置のデータ処理能力に最適な設定を行うことができる。
【０１１７】
〔実施態様１１〕
データ処理に使用される諸情報を記憶部に記憶可能な情報処理装置におけるデータ処理方法であって、前記情報処理装置のデータ処理能力に合せて前記記憶部に記憶されている前記諸情報の内容を書き換える書換えステップ（例えば図２に示すデータベース情報書き換え部４１１によるステップＳ３０４により書き換える）とを有することを特徴とするデータ処理方法。
【０１１８】
これにより、実施態様１と同等の効果を奏する。
【０１１９】
〔実施態様１２〕
画像処理装置を制御するための諸情報を記憶部に記憶可能な情報処理装置におけるデータ処理方法であって、前記諸情報を前記記憶部に記憶する場合、前記情報処理装置のデータ処理能力を検出する検出ステップ（図２に示すホストコンピュータ処理能力検出部４１０による図３に示すステップＳ３０２により検出される）と、前記検出ステップにより検出されるデータ処理能力に応じて、前記画像処理装置と前記情報処理装置とのデータ処理時間が釣り合うように前記諸情報の内容を書き換えて前記記憶部に登録する書換え制御ステップ（例えば図２に示すデータベース情報書き換え部４１１によるステップＳ３０４により書き換える）とを有することを特徴とするデータ処理方法。
【０１２０】
これにより、実施態様２と同等の効果を奏する。
【０１２１】
〔実施態様１３〕
前記書換え制御ステップは、前記諸情報中のデフォルト印刷モードを書き換えることを特徴とする実施態様１２記載のデータ処理方法。
【０１２２】
これにより、実施態様３と同等の効果を奏する。
【０１２３】
〔実施態様１４〕
前記書換え制御ステップは、前記諸情報中のレンダリング解像度を書き換えることを特徴とする実施態様１２記載のデータ処理方法。
【０１２４】
これにより、実施態様４と同等の効果を奏する。
【０１２５】
〔実施態様１５〕
前記書換え制御ステップは、前記諸情報中のデフォルト印刷モードおよび／またはレンダリング解像度を書き換えることを特徴とする実施態様１２記載のデータ処理方法。
【０１２６】
これにより、実施態様５と同等の効果を奏する。
【０１２７】
〔実施態様１６〕
前記検出ステップは、サンプル画像データを画像処理するデータ処理時間と前記画像出力装置のデータ処理時間とから前記データ処理能力を検出することを特徴とする実施態様１２記載のデータ処理方法。
【０１２８】
これにより、実施態様６と同等の効果を奏する。
【０１２９】
〔実施態様１７〕
実施態様１１〜１６のいずれかに記載のデータ処理方法を実行させるためのプログラムを格納したことを特徴とするコンピュータが読み取り可能な記憶媒体。
【０１３０】
これにより、実施態様１１〜１６と同等の効果を奏する。
【０１３１】
〔実施態様１８〕
実施態様１１〜１６のいずれかに記載のデータ処理方法をコンピュータに実行させることを特徴とするプログラム。
【０１３２】
これにより、実施態様１１〜１６と同等の効果を奏する。
【０１３３】
〔実施態様１９〕
処理能力を検出する検出手段（図３に示すステップＳ３０２）と、前記検出手段により検出された処理能力に応じてプリンタドライバが参照するパラメータを設定する設定手段（図３に示すステップＳ３０３，Ｓ３０４）とを有することを特徴とする情報処理装置。
【０１３４】
これにより、情報処理装置の実際のデータ処理能力が検出され、あらかじめ想定されている情報処理装置よりもデータ処理能力が低い場合には、デフォルトとして設定される諸情報が情報処理装置のデータ処理能力と画像処理装置のデータ処理能力とが釣り合う内容に設定されるため、情報処理装置のデータ処理負担が軽減され、画像処理装置のパフォーマンス低下を抑えることができる。
【０１３５】
〔実施態様２０〕
前記処理能力は、画像処理能力を含むことを特徴とする実施態様１９記載の情報処理装置。
【０１３６】
〔実施態様２１〕
前記パラメータは、解像度（図３に示すステップＳ３０４）を含むことを特徴とする実施態様１９、または２０記載の情報処理装置。
【０１３７】
〔実施態様２２〕
前記パラメータは、デフォルト情報を含むことを特徴とする実施態様１９、２０または２１記載の情報処理装置。
【０１３８】
〔実施態様２３〕
処理能力を検出する検出ステップ（図３に示すステップＳ３０２）と、前記検出ステップにより検出された処理能力に応じてプリンタドライバが参照するパラメータを設定する設定ステップ（図３に示すステップＳ３０３，Ｓ３０４）とを有することを特徴とする情報処理方法。
【０１３９】
これにより、情報処理装置の実際のデータ処理能力が検出され、あらかじめ想定されている情報処理装置よりもデータ処理能力が低い場合には、デフォルトとして設定される諸情報が情報処理装置のデータ処理能力と画像処理装置のデータ処理能力とが釣り合う内容に設定されるため、情報処理装置のデータ処理負担が軽減され、画像処理装置のパフォーマンス低下を抑えることができる。
【０１４０】
〔実施態様２４〕
前記処理能力は、画像処理能力を含むことを特徴とする実施態様２３記載の情報処理方法。
【０１４１】
〔実施態様２５〕
前記パラメータは、解像度を含むことを特徴とする実施態様２３、または２４のいずれかに記載の情報処理方法。
【０１４２】
〔実施態様２６〕
前記パラメータは、デフォルト情報を含むことを特徴とする実施態様２３、２４または２５のいずれかに記載の情報処理方法。
【０１４３】
〔実施態様２７〕
処理能力を検出する検出ステップ（図３に示すステップＳ３０２）と、前記検出ステップにより検出された処理能力に応じてプリンタドライバが参照するパラメータを設定する設定ステップ（図３に示すステップＳ３０３，Ｓ３０４）とをコンピュータに実行させるプログラム。
【０１４４】
これにより、情報処理装置の実際のデータ処理能力が検出され、あらかじめ想定されている情報処理装置よりもデータ処理能力が低い場合には、デフォルトとして設定される諸情報が情報処理装置のデータ処理能力と画像処理装置のデータ処理能力とが釣り合う内容に設定されるため、情報処理装置のデータ処理負担が軽減され、画像処理装置のパフォーマンス低下を抑えることができる。
【０１４５】
〔実施態様２８〕
前記処理能力は、画像処理能力を含むことを特徴とする実施態様２７記載のプログラム。
【０１４６】
〔実施態様２９〕
前記パラメータは、解像度を含むことを特徴とする実施態様２７、または２８のいずれかに記載のプログラム。
【０１４７】
〔実施態様３０〕
前記パラメータは、デフォルト情報を含むことを特徴とする請求項２７、２８または２９のいずれかに記載のプログラム。
【図面の簡単な説明】
【０１４８】
【図１】本発明の第１実施形態を示すデータ処理装置と画像出力装置とを含む印刷システムの一例を示すブロック図である。
【図２】図１に示した情報処理装置におけるデータ処理システムの構成を説明するブロック図である。
【図３】本実施形態における情報処理装置のデータ処理手順の一例を示すフローチャートである。
【図４】図１に示した画像出力装置の印刷ポジション毎の諸情報を表す図である。
【図５】図２に示したホストコンピュータ処理能力検出部で検出される印刷ポジションとホスト処理時間との対応を示す図である。
【図６】図２に示したホストコンピュータ処理能力検出部で検出される印刷ポジションとホスト処理時間との対応を示す図である。
【図７】図４に示した印刷ポジション毎の諸情報の書き換え例を示す図である。
【図８】図４に示した印刷ポジション毎の諸情報の書き換え例を示す図である。
【図９】図４に示した印刷ポジション毎の諸情報の書き換え例を示す図である。
【図１０】本発明に係る情報処理装置で読み取り可能な各種データ処理プログラムを格納する記憶媒体のメモリマップを説明する図である。
【符号の説明】
【０１４９】
２００  情報処理装置
３００  画像出力装置
４０３  ＧＵＩ設定部
４０４  レンダリング解像度情報
４０５  ＧＵＩ情報制御部
４０６  データベース
４１０  ホストコンピュータ処理能力検出部
４１１  データベース情報書き換え部
【図１】
2006252009.tif 000003
【図２】
2006252009.tif 000004
【図３】
2006252009.tif 000005
【図４】
2006252009.tif 000006
【図５】
2006252009.tif 000007
【図６】
2006252009.tif 000008
【図７】
2006252009.tif 000009
【図８】
2006252009.tif 000010
【図９】
2006252009.tif 000011
【図１０】
2006252009.tif 000012